(57)【要約】【課題】良好な仕上がりを簡単な施工により実現することができる照明器具を提供する。【解決手段】照明器具１０は、光源を保持し、送り用配線１５および電源配線に接続される端子台を収容した器具本体１３と、器具本体１３の長さ方向に移動自在に器具本体１３に取り付けられた摺動プレート２０と、摺動プレート２０に結合可能にして器具本体１３と相手側照明器具に有する相手側器具本体とを連結する連結具２１と、を備え、摺動プレート２０を移動させて器具本体１１に連結具２１を固定するとともに送り用配線１５を相手側器具本体内に電気的に接続し、その後に、摺動プレート２０を戻り移動させて連結具２１を介して器具本体を相手側器具本体に連結する。【選択図】図３
2010251268.tif 000002
【特許請求の範囲】
【請求項１】
光源を保持し、送り用配線および電源配線に接続される端子台を収容した器具本体と、
前記器具本体の長さ方向に移動自在に前記器具本体に取り付けられた摺動プレートと、
前記摺動プレートに結合可能にして前記器具本体と相手側照明器具に有する相手側器具本体とを連結する連結具と、
を備え、
前記摺動プレートを移動させて前記器具本体に前記連結具を固定するとともに前記送り用配線を前記相手側器具本体内に電気的に接続し、その後に、前記摺動プレートを戻り移動させて前記連結具を介して前記器具本体を前記相手側器具本体に連結することを特徴とする照明器具。
【請求項２】
前記連結具は、前記送り用配線を前記器具本体の内部から前記相手側器具本体の内部へ挿通させるための導出開口部を有することを特徴とする請求項１に記載した照明器具。
【請求項３】
前記摺動プレートを前記器具本体の所定位置に位置決めするための保持機構を有することを特徴とする請求項１または２に記載した照明器具。
【発明の詳細な説明】
【技術分野】
【０００１】
本発明は、天井面や壁面等に直接取り付けられる直付型の照明器具に関し、特に複数台を連結して使用する照明器具に関する。
【背景技術】
【０００２】
本発明者らは、上方にばね係止片を備えたランプ間カバーを用い、反射板の係止部にランプ間カバーのばね係止部を係止させることにより複数の器具を連結するようにした照明器具を既に提案している（例えば、特許文献１参照）。
【先行技術文献】
【特許文献】
【０００３】
【特許文献１】実開平７−１６３１５号公報（図１、請求項１）
【発明の概要】
【発明が解決しようとする課題】
【０００４】
ところが、上記特許文献１に開示された従来の照明器具では、器具本体毎に配線を個別に取付けしていたために作業性が悪く、仕上がりの外観面が施工の良し悪しにより左右されやすい。
従って、複数を連結した際に直線性が乱れる虞があり、仕上がり具合が不安定であった。
【０００５】
本発明は、前述した課題を解決するためになされたものであり、その目的は、良好な仕上がりを簡単な施工により実現することができる照明器具を提供することにある。
【課題を解決するための手段】
【０００６】
本発明に係る照明器具は、光源を保持し、送り用配線および電源配線に接続される端子台を収容した器具本体と、前記器具本体の長さ方向に移動自在に前記器具本体に取り付けられた摺動プレートと、前記摺動プレートに結合可能にして前記器具本体と相手側照明器具に有する相手側器具本体とを連結する連結具と、を備え、前記摺動プレートを移動させて前記器具本体に前記連結具を固定するとともに前記送り用配線を前記相手側器具本体内に電気的に接続し、その後に、前記摺動プレートを戻り移動させて前記連結具を介して前記器具本体を前記相手側器具本体に連結することを特徴とする。
【０００７】
本発明においては、天板として機能する摺動プレートは施工後に天井面に接するように配置される。そして、電源配線は天井面から器具本体内の端子台に引き込まれ、送り用配線は器具本体から引き出されて相手側器具本体内に電気的に接続される。そこで、摺動プレートを移動させて器具本体に連結具を固定するとともに送り用配線を相手側器具本体内に電気的に接続し、その後に、摺動プレートを戻り移動させて連結具を介して器具本体を相手側器具本体に連結する。
これにより、摺動プレートの往復移動に伴い、電源配線の端子台への接続および送り用配線の相手側器具本体内への電気的な接続を簡単に行うことができる。
従って、良好な仕上がりを簡単な施工により実現することができる。
【０００８】
本発明に係る照明器具は、上記構成の照明器具において、前記連結具は、前記送り用配線を前記器具本体の内部から前記相手側器具本体の内部へ挿通させるための導出開口部を有することを特徴とする。
【０００９】
本発明においては、送り用配線を相手側器具本体内へ電気的に接続するに際し、送り用配線は器具本体に固定されている連結具の導出開口部を通じて配策される。
従って、送り用配線は器具本体の外部に露出することがなく、スマートな配策形態をとることができる。
【００１０】
本発明に係る照明器具は、上記構成の照明器具において、前記摺動プレートを前記器具本体の所定位置に位置決めするための保持機構を有することを特徴とする。
【００１１】
本発明においては、摺動プレートは保持機構により器具本体の所定位置に位置決めされる。
従って、ネジ止め等を用いることなく、簡単に位置決めを行うことができる。
【発明の効果】
【００１２】
本発明の照明器具によれば、器具本体の長さ方向に移動自在に器具本体に取り付けられた摺動プレートを移動させて器具本体に連結具を固定するとともに送り用配線を相手側器具本体内に電気的に接続し、その後に、摺動プレートを戻り移動させて連結具を介して器具本体を相手側器具本体に連結するようにした。
これにより、良好な仕上がりを簡単な施工により実現することができるという効果を有する。
【図面の簡単な説明】
【００１３】
【図１】本発明に係る第１実施形態の照明器具の第１連結工程を説明する分解斜視図
【図２】図１に示した照明器具の垂直断面図
【図３】図１に示した照明器具の第２連結工程を説明する分解斜視図
【図４】図３に示した照明器具の連結具周りの垂直断面図
【図５】図１に示した照明器具の第３連結工程を説明する分解斜視図
【図６】図１に示した照明器具の第４連結工程を説明する分解斜視図
【図７】図６に示した照明器具の連結具への連結前の一部破断側面図
【図８】図６に示した照明器具の連結具への連結後の一部破断側面図
【図９】図１に示した照明器具の第５連結工程を説明する分解斜視図
【図１０】図１に示した照明器具の第６連結工程を説明する分解斜視図
【図１１】図１に示した照明器具の組立て後の側面図
【図１２】図１１に示した照明器具の底面図
【図１３】本発明に係る第２実施形態の照明器具の器具本体の一部破断側面図
【図１４】図１３に示した照明器具の平面図
【発明を実施するための形態】
【００１４】
以下、本発明の複数の実施形態に係る照明器具について図面を参照して説明する。
【００１５】
（第１実施形態）
本発明の第１実施形態である照明器具１０は、光源である複数のＬＥＤ光源１１と、複数のＬＥＤ１１光源を実装したＬＥＤ基板１２と、器具本体１３と、器具本体１３に収容された端子台１４と、ＬＥＤ基板１２を通じてＬＥＤ光源１１に電流を供給する電源ユニット１６を介して端子台１４に電気的に接続された送り用配線１５と、端子台１４に接続される電源配線１７と、器具本体１３の一端部に固定される第１エンドキャップ１８と、器具本体１３の他端部に固定される第２エンドキャップ１９と、器具本体１３の長さ方向に移動自在に器具本体１３に取り付けられた摺動プレート２０と、摺動プレート２０に結合可能にして器具本体１３と相手側照明器具７０に有する相手側器具本体７１とを連結する連結具２１と、を備えて天井面１に直接取り付けられる。
【００１６】
図１、図２に示すように、器具本体１３は、金属製で垂直断面視Ｈ字形状に形成されている。器具本体１３は、中央部の隔板２２の上部に、一対の凹溝形状をなす摺動プレートガイド溝２３を有し、その下部にＬＥＤ基板１２を取り付けている。
【００１７】
器具本体１３は、その一端部に第１エンドキャップ１８をネジ２４によりネジ止め可能になっており、その他端部に第２エンドキャップ１９を不図示のネジによりネジ止め可能になっている。
【００１８】
送り用配線１５は、その端部に送り用コネクタ２５を接続している。送り用配線１５は器具本体１３から引き出されて相手側器具本体７１内に届くような十分な長さを有する。
【００１９】
摺動プレート２０は、比較的薄い金属製の板部材であって、その一端部に電源配線１７挿通用の配線挿通穴２６を形成しており、その他端部に保持機構の一部を構成する一対の連結具位置決め穴２７を形成している。
【００２０】
摺動プレート２０は器具本体１３の全体の長さに略等しい長さを有して器具本体１３の上端部を閉塞する天板として機能する。摺動プレート２０は摺動プレートガイド溝２３に装着されているために器具本体１３の長さ方向に沿った第１方向Ａおよび第１方向Ａに反対の第２方向Ｂにスライド移動する。
【００２１】
図３、図４に示すように、連結具２１は、ほぼ中央部にフランジ形状にして両側に突出した一対の器具本体固定用板２８，２９を有し、器具本体固定用板２８，２９の上部に切欠形状をなす一対の導出開口部３０を有する。
【００２２】
図５に示すように、端子台１４は器具本体１３のほぼ中央部に収容されている。端子台１４には送り用配線１５が電気的に接続されており、天井面１から引き込まれた電源配線１７が電気的に接続される。
【００２３】
図６、７、８に示すように、連結具２１は、一方の器具本体固定用板２８側の底部に保持機構を他の一部を構成していて摺動プレート２０の一対の連結具位置決め穴２７に係合される一対の係合突起３１をそれぞれ有する。
【００２４】
係合突起３１は、摺動プレート２０が第１方向Ａへスライド移動してから第２方向Ｂへ戻り移動した後に第１方向Ａへ再度スライド移動した際に一対の連結具位置決め穴２７に係合されることにより摺動プレート２０を位置決めする。
【００２５】
次に、照明器具１０と相手側照明器具７０と連結手順について説明する。
【００２６】
まず、第１連結工程（図１参照）を行う。第１連結工程では、第１エンドキャップ１８および第２エンドキャップ１９を器具本体１３から取り外し、摺動プレート２０を第１方向Ａへ位置Ｃまでスライド移動させる。
【００２７】
摺動プレート２０が位置Ｃ１まで移動することにより器具本体１３は天部が開放され、開成された器具本体１３の内部から端子台１４に接続されている送り用配線１５を器具本体１３の上方へ引き出す。
【００２８】
次に、第２連結工程（図３参照）を行う。第２連結工程では、器具本体１３の接続側端部に連結具２１を固定する。連結具２１は、ネジ３２により一方の器具本体固定用板２８が器具本体１３の隔板２２に固定される。このとき、連結具２１の導出開口部３０に送り用配線１５をそれぞれ通しておく。
【００２９】
続いて、第３連結工程（図５参照）を行う。第３連結工程では、摺動プレート２０を第２方向Ｂに位置Ｃ２までスライド移動させる。摺動プレート２０が位置Ｃ２まで移動することにより器具本体１３は天部が開放され、開成された器具本体１３の端子台１４に天井面から引き込まれた電源配線１７を電気的に接続する。
【００３０】
そして、器具本体１３の非接続側端部に第１エンドキャップ１８をネジ２４により固定する。送り用配線１５は器具本体１３内を連結具２１の導出開口部３０を通って相手側器具本体７１側に引き出されている。
【００３１】
次に、第４連結工程（図６、図７、図８参照）を行う。第４連結工程では、摺動プレート２０を第１方向Ａへ位置Ｃ３まで再度スライド移動させる。摺動プレート２０は、位置Ｃ３までスライド移動することにより、連結具位置決め穴２７が連結具２１の係合突起３１にそれぞれ係合されて位置Ｃ３において位置決めされる。
【００３２】
電源配線１７は摺動プレート２０の配線挿通穴２６内に配置される。このとき、器具本体１３の両端部の下方から第１エンドキャップ１８および連結具２１に木ネジ３３がそれぞれねじ込まれる。
【００３３】
図９に示すように、続いて、第５連結工程を行う。第５連結工程では、器具本体１３の連結側端部に相手側器具本体７１を連結する。
【００３４】
連結にあたり、相手側照明器具７０は、その摺動プレート７２を第１方向Ａに位置Ｄ１までスライド移動させて相手側端子台７３から引き出されていて固定板７４を有する相手側受け用配線７５を相手側器具本体７１の上方に引き出している。相手側摺動プレート７２は非連結側端部に第２エンドキャップ１９を固定している。
【００３５】
器具本体１３は連結側端部に組み付けられている連結具２１を相手側器具本体７１に差し込み、連結具２１の他方の器具本体固定用板２９を相手側器具本体７１の隔板７６にネジ３４により固定する。このとき、ネジ３４は相手側受け用配線７５の固定板７４も同時に固定する。
【００３６】
図１０に示すように、さらに続いて、第６連結工程を行う。第６連結工程では、器具本体１３に連結された相手側器具本体７１の非連結側端部の第２エンドキャップ１９に木ネジ３３がねじ込まれる。
【００３７】
図１１、図１２に示すように、上述した各連結工程を行うことにより照明器具１０と相手側照明器具７０とが、ＬＥＤ光源１１および相手側ＬＥＤ光源８０のそれぞれに直線性を有して連結される。
【００３８】
照明器具１０と相手側照明器具７０とは、器具本体１１内に引き込まれた電源配線１７が端子台１４を通じて電源ユニット１６に接続され、電源ユニット１６から導出された送り用配線１５の送り用コネクタ２５が相手側器具本体７１内において相手側受け用配線７５に有する相手側受け用コネクタ７７に接続される。
【００３９】
そして、相手側受け用配線７５が相手側端子台７３を通じて相手側電源ユニット７８に接続され、相手側電源ユニット７８から相手側ＬＥＤ基板７９を通じて相手側ＬＥＤ光源８０に電流が与えられる。
【００４０】
以上、説明したように、本発明の第１実施形態の照明器具１０では、天板として機能する摺動プレート２０は施工後に天井面１に接するように配置される。そして、電源配線１７は天井面１から器具本体１３内の端子台１４に引き込まれ、送り用配線１５は器具本体１３から引き出されて相手側器具本体７１内に電気的に接続される。そこで、摺動プレート２０を移動させて器具本体１１に連結具２１を固定するとともに送り用配線１５を相手側器具本体７１内に電気的に接続し、その後に、摺動プレート２０を戻り移動させて連結具２０を介して器具本体１３を相手側器具本体７１に連結する。
これにより、摺動プレート２０の往復移動に伴い、電源配線１７の端子台１４への接続および送り用配線１５の相手側器具本体７１内への電気的な接続を簡単に行うことができる。
従って、良好な仕上がりを簡単な施工により実現することができる。
【００４１】
本発明の第１実施形態の照明器具１０では、送り用配線１５を相手側器具本体７１内へ電気的に接続するに際し、送り用配線１５は器具本体１３に固定されている連結具２１の導出開口部３０を通じて配策される。
従って、送り用配線１５は器具本体１３の外部に露出することがなく、スマートな配策形態をとることができる。
【００４２】
本発明の第１実施形態の照明器具１０では、摺動プレート２０は連結具位置決め穴２７と連結具２１の係合突起３１とにより器具本体１３の所定位置に位置決めされる。
従って、ネジ止め等を用いることなく、簡単に位置決めを行うことができる。
【００４３】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００４４】
図１３、図１４に示すように、本発明の第２実施形態の照明器具４０は、短寸の第１摺動プレート４１と、第１摺動プレート４１よりも長い長寸の第２摺動プレート４２と独立して備えている。
【００４５】
第１摺動プレート４１および第２摺動プレート４２は、第１方向Ａおよび第２方向Ｂへ移動する際に、位置Ｃ１、Ｃ２、Ｃ３へ単独でスライド移動することができる。
【００４６】
本発明の第２実施形態の照明器具４０は、第１実施形態と同様の作用効果を奏する。特に本実施形態では、器具本体１３が長尺である場合に好適である。
【００４７】
なお、前記各実施形態で使用したＬＥＤ光源１１、ＬＥＤ基板１２、端子台１４等は例示したものに限定するものではなく適宜変更が可能である。
【符号の説明】
【００４８】
１  天井面
１０、４０  照明器具
１１  ＬＥＤ光源（光源）
１３  器具本体
１４  端子台
１５  送り用配線
１７  電源配線
２０  摺動プレート
２１  連結具
２７  連結具位置決め穴（保持機構）
３０  導出開口部
３１  係合突起３１（保持機構）
４１  第１摺動プレート（摺動プレート）
４２  第２摺動プレート（摺動プレート）
７０  相手側照明器具
７１  相手側器具本体
【図１】
2010251268.tif 000003
【図２】
2010251268.tif 000004
【図３】
2010251268.tif 000005
【図４】
2010251268.tif 000006
【図５】
2010251268.tif 000007
【図６】
2010251268.tif 000008
【図７】
2010251268.tif 000009
【図８】
2010251268.tif 000010
【図９】
2010251268.tif 000011
【図１０】
2010251268.tif 000012
【図１１】
2010251268.tif 000013
【図１２】
2010251268.tif 000014
【図１３】
2010251268.tif 000015
【図１４】
2010251268.tif 000016